(57)【要約】【課題】使用者がバーコードを通して獲得された調理情報を変更できるモードを設けることで、自動調理情報を用いて調理する際、使用者の好みまたは食品の量に合わせて調理情報を変更できる調理装置及びその調理制御方法を提供すること。また、ウェブサーバーに接続可能な端末装置を用いて調理情報を調理装置に伝送できる調理システム及びその調理制御方法を提供すること。また、ウェブサーバーに接続可能な端末装置を用いて調理情報をバーコード形態で出力できる調理システム及びその調理制御方法を提供すること。【解決手段】自動調理情報を用いて食品の調理を行う調理装置において、自動調理情報を獲得する自動調理情報獲得部と;使用者によって前記獲得された自動調理情報を変更する自動調理情報変更部と;変更された調理情報に基づいて一連の調理動作を制御する制御部２２と；を含んで調理装置を構成する。【選択図】図２
2007024487.tif 000002
【特許請求の範囲】
【請求項１】
自動調理情報を用いて食品の調理を行う調理装置において、
自動調理情報を獲得する自動調理情報獲得部と;
使用者によって前記獲得された自動調理情報を変更する自動調理情報変更部と;
変更された調理情報に基づいて一連の調理動作を制御する制御部と；
を含んで構成されることを特徴とする調理装置。
【請求項２】
前記自動調理情報獲得部は、バーコードから自動調理情報を読み込むバーコードリーダであることを特徴とする、請求項１に記載の調理装置。
【請求項３】
前記自動調理情報獲得部は、
食品のイメージを撮影するカメラと;
多数の食品イメージ及び該当の食品に対する調理情報を保存するメモリ部と；から構成され、
撮影された食品イメージとメモリ部に保存された食品イメージとを比較して食品のＩＤを決定し、食品のＩＤに該当する自動調理情報を獲得することを特徴とする、請求項１に記載の調理装置。
【請求項４】
前記調理装置は、獲得された自動調理情報を表示する表示部をさらに備えており、
前記自動調理情報変更部は、前記表示部に表示された調理項目のうち所望の調理項目を選択するボタンをさらに備えることを特徴とする、請求項１に記載の調理装置。
【請求項５】
前記変更された調理情報をバーコード形態で出力するバーコード出力機をさらに含むことを特徴とする、請求項１に記載の調理装置。
【請求項６】
自動調理情報を用いて食品の調理を行う調理システムにおいて、
自動調理情報を獲得し、調理装置に自動調理情報を伝送する外部端末装置と;
前記伝送された自動調理情報を使用者によって変更する自動調理情報変更部と;
変更された調理情報に基づいて一連の調理動作を制御する制御部を含む調理装置と；を含むことを特徴とする調理システム。
【請求項７】
前記外部端末装置は、バーコードから自動調理情報を読み込むバーコートリーダーを含むことを特徴とする、請求項６に記載の調理システム。
【請求項８】
前記外部端末装置は、
食品のイメージを撮影するカメラと;
多数の食品イメージ及び該当の食品に対する調理情報を保存するメモリ部と；を含んでおり、
撮影された食品のイメージとメモリ部に保存されたイメージとを比較して食品のＩＤを決定し、食品のＩＤに該当する自動調理情報を獲得することを特徴とする、請求項６に記載の調理システム。
【請求項９】
前記外部端末装置は、ＰＣ、ＰＤＡ、ウェブパッド、無線電話機のうちいずれか一つであり、ウェブ／インターネットに接続して自動調理情報を獲得することを特徴とする、請求項６に記載の調理システム。
【請求項１０】
前記外部端末装置および調理装置は、有／無線通信を通して自動調理情報を伝送する通信モジュールをさらに備えることを特徴とする請求項６に記載の調理システム。
【請求項１１】
自動調理情報を用いて食品の調理を行う調理システムにおいて、
自動調理情報を獲得し、獲得された自動調理情報を変更し、変更された自動調理情報を調理装置に伝送する外部端末装置と;
前記変更された自動調理情報に基づいて一連の調理動作を制御する制御部を含む調理装置と；を含むことを特徴とする調理システム。
【請求項１２】
前記外部端末装置は、ＰＣ、ＰＤＡ、ウェブパッド、無線電話機のうちいずれか一つであり、調理装置のメモリまたはウェブ／インターネットに接続して自動調理情報を獲得し、獲得された自動調理情報を変更することを特徴とする、請求項１１に記載の調理システム。
【請求項１３】
前記外部端末装置は、ＰＣ、ＰＤＡ、ウェブパッド、無線電話機のうちいずれか一つであり、調理装置のメモリまたはウェブ／インターネットに接続して自動調理情報を獲得し、獲得された自動調理情報を変更することを特徴とする、請求項１１に記載の調理システム。
【請求項１４】
前記外部端末装置および調理装置は、有／無線通信を通して変更された自動調理情報を伝送する通信モジュールをさらに備えることを特徴とする、請求項１１に記載の調理システム。
【請求項１５】
前記調理装置は、バーコードリーダを含んでおり、
前記調理システムは、外部端末装置から変更された自動調理情報を受けて、この自動調理情報をバーコード形態で出力するバーコード出力機をさらに含むことを特徴とする、請求項１１に記載の調理システム。
【請求項１６】
自動調理情報を用いて食品の調理を行う調理装置の調理制御方法において、
自動調理情報を獲得する段階と;
獲得された自動調理情報のうち一部の調理条件を変更する段階と;
変更された調理情報に基づいて調理を行う段階と；から構成されることを特徴とする調理装置の調理制御方法。
【請求項１７】
前記自動調理情報を獲得する段階は、
バーコードリーダを通してバーコードから自動調理情報を獲得する段階;及び
食品イメージを撮影し、撮影されたイメージと調理装置のメモリ部に保存された食品イメージとを比較して食品のＩＤを決定し、該当の食品に対する自動調理情報を獲得する段階のうちいずれか一つであることを特徴とする、請求項１６に記載の調理装置の調理制御方法。
【請求項１８】
前記調理条件を変更する段階は、
獲得された自動調理情報を表示する段階と;
表示された調理項目のうち変更しようとする調理項目を選択する段階と;
選択された調理項目を変更する段階と；から構成されることを特徴とする、請求項１６に記載の調理装置の調理制御方法。
【請求項１９】
自動調理情報を用いて食品の調理を行い、外部端末装置および調理装置により構成された調理システムの調理制御方法において、
外部端末装置を用いて自動調理情報を獲得する段階と;
獲得された自動調理情報を調理装置に提供する段階と;
提供された自動調理情報を調理装置で変更する段階と;
変更された調理情報に基づいて調理を行う段階と；から構成されることを特徴とする調理システムの調理制御方法
【請求項２０】
前記外部端末装置は、調理装置のメモリに保存されたデータまたはウェブサーバーＤＢを検索して自動調理情報を獲得することを特徴とする、請求項１９に記載の調理システムの調理制御方法。
【請求項２１】
前記外部端末装置は、獲得された自動調理情報を有線または無線通信によって前記調理装置に提供することを特徴とする、請求項１９に記載の調理システムの調理制御方法。
【請求項２２】
自動調理情報を用いて食品の調理を行い、外部端末装置および調理装置により構成された調理システムの調理制御方法において、
外部端末装置を用いて自動調理情報を獲得する段階と;
外部端末装置で該当の自動調理情報を変更する段階と;
変更された自動調理情報を調理装置に提供する段階と;
変更された調理情報に基づいて調理を行う段階と；から構成されることを特徴とする調理システムの調理制御方法。
【請求項２３】
前記外部端末装置は、調理装置のメモリに保存されたデータまたはウェブサーバーＤＢを検索して自動調理情報を獲得することを特徴とする、請求項２２に記載の調理システムの調理制御方法。
【請求項２４】
前記外部端末装置は、変更された自動調理情報を有線または無線通信によって前記調理装置に提供することを特徴とする、請求項２２に記載の調理システムの調理制御方法。
【請求項２５】
前記外部端末装置は、獲得された自動調理情報をバーコード形態で出力し、この出力された自動調理情報を前記調理装置に提供することを特徴とする、請求項２２に記載の調理システムの調理制御方法。
【請求項２６】
自動調理情報を用いて食品の調理を行う調理装置の調理制御方法において、
自動調理情報を獲得する段階と;
獲得された自動調理情報のうち一部の調理条件を変更する段階と;から構成されることを特徴とする調理装置の調理制御方法。
【発明の詳細な説明】
【技術分野】
【０００１】
本発明は、バーコードから調理情報を読み込む調理装置に関するもので、詳しくは、自動調理情報を用いて調理する際、使用者が自身の好みまたは食品の量に合わせて調理情報を変更できる調理装置、調理システム及び調理制御方法に関するものである。
【背景技術】
【０００２】
一般に、調理装置は、各種の熱源を用いて食物を調理する機構であり、熱源によって多様な種類の製品が市販されている。これらのうち、電子レンジは、高周波発振管であるマグネトロンに高圧電気を加えて発生する約２４５０MHzのマイクロ波によって食品内の水分子を振動させ、かつ、この水分子の振動による摩擦熱を用いて食品を迅速に加熱する装置である。
【０００３】
しかしながら、このような電子レンジを用いて食品を調理する場合、使用者が食品情報を熟知した上で、操作パネルを通して調理時間、調理温度及び電力レベルなどの調理情報を手動で入力すべきであるという不便さがあった。
【０００４】
また、最近、電子レンジを用いて簡便に調理できるインスタント食品が多様になり、その量も増加しつつあるため、上記のような調理情報の手動入力方式は、適切な調理条件を設定するには困難かつ不便であった。
【０００５】
上記のような問題点を解決するために、食品パッケージに付着されたバーコードをスキャンし、調理温度、調理時間、出力レベルなどの調理情報を読み込むバーコードリーダを設置することで、このバーコードリーダから獲得された調理情報によって調理を行うバーコードリーダ付き電子レンジ(以下、調理装置という)が開発された。
【０００６】
しかしながら、上記のような調理装置によると、バーコードリーダを用いて食品パッケージに付着されたバーコードをスキャンして調理情報を読み込み、この読み込まれた調理情報によって自動で調理を行うため、使用者の好みに合わせて調理状態を変更することができない。そのため、使用者の好みに合わせた調理が行われず、使用者の調理満足度が低下することになる。
【０００７】
したがって、使用者が調理情報の全項目のうち一部の項目(調理温度、調理時間または出力レベル)を変更し、調理情報を修正することが不可能であったため、一部の調理項目のみを変更しようとする場合も、使用者が調理情報の全項目(調理温度、調理時間及び出力レベルなど)を手動で入力すべきであるという不便さがあった。
【０００８】
また、食品パッケージに付着されたバーコードが食品の量に対する調理情報を提供するため、食品の一部を調理する(少量の食品を調理したり、残った食品を調理するなど)場合、バーコードから獲得された調理情報を活用できなく、全ての調理項目を手動で入力すべきであった。
【発明の開示】
【発明が解決しようとする課題】
【０００９】
本発明は、上記のような従来の問題点を解決するためになされたもので、使用者がバーコードを通して獲得された調理情報を変更できるモードを設けることで、自動調理情報を用いて調理する際、使用者の好みまたは食品の量に合わせて調理情報を変更できる調理装置及びその調理制御方法を提供することを目的とする。
【００１０】
また、本発明は、ウェブサーバーに接続可能な端末装置を用いて調理情報を調理装置に伝送できる調理システム及びその調理制御方法を提供することを目的とする。
【００１１】
また、本発明は、ウェブサーバーに接続可能な端末装置を用いて調理情報をバーコード形態で出力できる調理システム及びその調理制御方法を提供することを目的とする。
【課題を解決するための手段】
【００１２】
上記の目的を達成するために、本発明は、自動調理情報を用いて食品の調理を行う調理装置において、自動調理情報を獲得する自動調理情報獲得部と;使用者によって前記獲得された自動調理情報を変更する自動調理情報変更部と;変更された調理情報に基づいて一連の調理動作を制御する制御部と；を含んで構成されることを特徴とする。
【００１３】
前記自動調理情報獲得部は、バーコードから自動調理情報を読み込むバーコードリーダであることを特徴とする。
【００１４】
前記自動調理情報獲得部は、食品のイメージを撮影するカメラと;多数の食品イメージ及び該当の食品に対する調理情報を保存するメモリ部と；から構成され、撮影された食品イメージとメモリ部に保存された食品イメージとを比較して食品のＩＤを決定し、食品のＩＤに該当する自動調理情報を獲得することを特徴とする。
【００１５】
また、前記調理装置は、獲得された自動調理情報を表示する表示部をさらに備えており、前記自動調理情報変更部は、前記表示部に表示された調理項目のうち所望の調理項目を選択するボタンをさらに備えることを特徴とする。
【００１６】
また、前記変更された調理情報をバーコード形態で出力するバーコード出力機をさらに含むことを特徴とする。
【００１７】
また、本発明は、自動調理情報を用いて食品の調理を行う調理システムにおいて、自動調理情報を獲得し、調理装置に自動調理情報を伝送する外部端末装置と;前記伝送された自動調理情報を使用者によって変更する自動調理情報変更部と;変更された調理情報に基づいて一連の調理動作を制御する制御部を含む調理装置と；を含むことを特徴とする。
【００１８】
前記外部端末装置は、バーコードから自動調理情報を読み込むバーコートリーダーを含むことを特徴とする。
【００１９】
前記外部端末装置は、食品のイメージを撮影するカメラと;多数の食品イメージ及び該当の食品に対する調理情報を保存するメモリ部と；を含んでおり、撮影された食品のイメージとメモリ部に保存されたイメージとを比較して食品のＩＤを決定し、食品のＩＤに該当する自動調理情報を獲得することを特徴とする。
【００２０】
前記外部端末装置は、ＰＣ、ＰＤＡ、ウェブパッド、無線電話機のうちいずれか一つであり、ウェブ／インターネットに接続して自動調理情報を獲得することを特徴とする。
【００２１】
また、前記外部端末装置および調理装置は、有／無線通信を通して自動調理情報を伝送する通信モジュールをさらに備えることを特徴とする。
【００２２】
また、本発明は、自動調理情報を用いて食品の調理を行う調理システムにおいて、自動調理情報を獲得し、獲得された自動調理情報を変更し、変更された自動調理情報を調理装置に伝送する外部端末装置と;前記変更された自動調理情報に基づいて一連の調理動作を制御する制御部を含む調理装置と；を含むことを特徴とする。
【００２３】
前記外部端末装置は、ＰＣ、ＰＤＡ、ウェブパッド、無線電話機のうちいずれか一つであり、調理装置のメモリまたはウェブ／インターネットに接続して自動調理情報を獲得し、獲得された自動調理情報を変更することを特徴とする。
【００２４】
前記外部端末装置および調理装置は、有／無線通信を通して変更された自動調理情報を伝送する通信モジュールをさらに備えることを特徴とする。
【００２５】
前記調理装置は、バーコードリーダを含んでおり、前記調理システムは、外部端末装置から変更された自動調理情報を受けて、この自動調理情報をバーコード形態で出力するバーコード出力機をさらに含むことを特徴とする。
【００２６】
また、本発明は、自動調理情報を用いて食品の調理を行う調理装置の調理制御方法において、自動調理情報を獲得する段階と;獲得された自動調理情報のうち一部の調理条件を変更する段階と;変更された調理情報に基づいて調理を行う段階と；から構成されることを特徴とする。
【００２７】
前記自動調理情報を獲得する段階は、バーコードリーダを通してバーコードから自動調理情報を獲得する段階;及び食品イメージを撮影し、撮影されたイメージと調理装置のメモリ部に保存された食品イメージとを比較して食品のＩＤを決定し、該当の食品に対する自動調理情報を獲得する段階のうちいずれか一つであることを特徴とする。
【００２８】
前記調理条件を変更する段階は、獲得された自動調理情報を表示する段階と;表示された調理項目のうち変更しようとする調理項目を選択する段階と;選択された調理項目を変更する段階と；から構成されることを特徴とする。
【００２９】
また、本発明は、自動調理情報を用いて食品の調理を行い、外部端末装置および調理装置により構成された調理システムの調理制御方法において、外部端末装置を用いて自動調理情報を獲得する段階と;獲得された自動調理情報を調理装置に提供する段階と;提供された自動調理情報を調理装置で変更する段階と;変更された調理情報に基づいて調理を行う段階と；から構成されることを特徴とする。
【００３０】
前記外部端末装置は、調理装置のメモリに保存されたデータまたはウェブサーバーＤＢを検索して自動調理情報を獲得することを特徴とする。
【００３１】
前記外部端末装置は、獲得された自動調理情報を有線または無線通信によって前記調理装置に提供することを特徴とする。
【００３２】
また、本発明は、自動調理情報を用いて食品の調理を行い、外部端末装置および調理装置により構成された調理システムの調理制御方法において、外部端末装置を用いて自動調理情報を獲得する段階と;外部端末装置で該当の自動調理情報を変更する段階と;変更された自動調理情報を調理装置に提供する段階と;変更された調理情報に基づいて調理を行う段階と；から構成されることを特徴とする。
【００３３】
前記外部端末装置は、調理装置のメモリに保存されたデータまたはウェブサーバーＤＢを検索して自動調理情報を獲得することを特徴とする。
【００３４】
前記外部端末装置は、獲得された自動調理情報を有線または無線通信によって前記調理装置に提供することを特徴とする。
【００３５】
前記外部端末装置は、獲得された自動調理情報をバーコード形態で出力し、この出力された自動調理情報を前記調理装置に提供することを特徴とする。
【発明の効果】
【００３６】
本発明による調理装置及びその調理制御方法においては、使用者がバーコードを通して獲得された調理情報を変更できるモードを設けることで、自動調理情報を用いて調理する際、使用者の好みまたは食品の量に合わせて調理情報を変更できるようになり、使用者の調理満足度を向上できるという効果がある。
【００３７】
また、本発明の調理システム及びその調理制御方法においては、食品製造社のウェブサイトや調理関連ウェブサイトに接続可能な端末装置を用いて、変更された調理情報を調理装置に伝送するか、調理情報をバーコード形態で出力することができる。
【発明を実施するための最良の形態】
【００３８】
以下、本発明の一実施形態を図面に基づいて説明する。
【００３９】
図１は、本発明による調理装置の外観を示した図である。
【００４０】
図１に示すように、本発明の調理装置は、本体１０と、この本体１０の前面に設けられたドア１２と、このドア１２の右側に設けられた前面パネル部１４と、を備えている。
【００４１】
また、前面パネル部１４の上部には、食品パッケージに付着されたバーコードをスキャンするための内蔵型バーコードリーダ１６が設置され、このバーコードリーダ１６の下部には、調理装置の作動状態を表示する表示部１８が設置され、この表示部１８の下部には、多数の入力用ボタンを備えた入力部２０が設置される。
【００４２】
図２は、本発明の第１実施形態による調理装置の構造を示したブロック図で、図示したように、本発明の第１実施形態による調理装置は、バーコードリーダ１６、調理装置の動作状態を表示するための表示部１８、使用者によって制御命令を入力するための入力部２０、制御部２２、駆動部２６、通信部２８及びバーコード出力機３０を含んで構成される。
【００４３】
前記バーコードリーダ１６は、バーコードをスキャンして調理情報を読み込むものであり、製造社で調理情報を設定し、食品パッケージに付着したバーコードをスキャンする。
【００４４】
前記入力部２０は、調理の開始信号を入力するための開始ボタン、使用者によって調理情報の調理項目を変更するための調理情報変更ボタン、そして、調理時間、出力レベルなどの調理項目を選択して所望の値に変更するための調理項目選択ボタンなどの多数のボタンを設けている。また、前記入力部２０は、必要によってバーコードリーダ１６を手動で作動できるように、バーコードリード信号を入力するためのバーコードリードボタンを選択的に備えている。
【００４５】
他の構成例として、調理装置は、バーコードが調理装置に接近したとき、自動でバーコードをスキャンするバーコードリーダ１６を備えており、この場合、入力部２０のバーコードリードボタンを備える必要はない。
【００４６】
前記制御部２２は、調理装置の全体的な動作を制御するマイクロコントローラである。すなわち、調理情報を用いて調理する際、調理情報の調理項目を使用者が変更できるモードを設けることで、前記制御部２２は、前記モードによって調理情報の全項目のうち一部の調理項目(調理時間、調理温度、電力レベル及びその他の情報)を変更するための調理情報変更信号の入力可否を判断し、調理情報変更信号が入力されない場合、予め獲得された調理情報によって調理動作を制御し、調理情報変更信号が入力される場合、使用者の好みまたは食品の量に合わせて変更された調理情報によって調理動作を制御する。
【００４７】
前記駆動部２６は、制御部２２の制御信号によってマグネトロン(図示せず)または電気ヒーター(図示せず)などを駆動して調理を行う。
【００４８】
前記通信部２８は、他の調理装置、食品製造社のウェブサイトまたは調理関連ウェブサイト(例えば、www.menupan.com)などに接続可能な外部の端末装置(個人用ＰＣ、ウェブパッドを備えた冷蔵庫、無線電話機など)との電力線または有無線通信を通して、使用者が設定した調理情報を含む自動調理情報を外部装置から受けるもので、電力線、ＬＡＮ、ブルートゥース(Bluetooth)、赤外線通信などを用いる。本発明の第１実施形態による調理装置は、必要によって通信部２８を選択的に備えている。
【００４９】
すなわち、外部端末装置から獲得された調理情報を通信部２８を通して調理装置に伝送するとき、調理装置で調理情報を変更する場合、または、外部の端末装置から調理情報を獲得して変更した後、この変更された調理情報を通信部２８を通して調理装置に伝送する場合に通信部２８が必要となる。
【００５０】
その反面、調理装置でバーコードなどを用いて調理情報を直接獲得する場合、別途の通信部２８が必要でない。これと同様に、調理システムで外部の端末装置から獲得された調理情報をバーコードに変更し、そのバーコードを出力するとき、調理装置でバーコードなどをスキャンする場合も、別途の通信部２８が必要でない。調理システムについては、以下で詳しく説明する。
【００５１】
前記バーコード出力機３０は、制御部２２の制御信号によって調理装置の本体１０で変更された調理情報をバーコード形態で出力するもので、調理装置は、このバーコード出力機３０を必要によって選択的に備えている。
【００５２】
図３は、本発明の第２実施形態による調理装置の構成を示したブロック図で、図３に示すように、本発明の第２実施形態による調理装置は、イメージキャプチャー装置１７、表示部１８、入力部２０、制御部２２、メモリ部２４、駆動部２６及び通信部２８を含んでおり、図２に示した第１実施形態と同一の構成要素には、同一の符号を付してそれに対する説明を省略する。
【００５３】
前記イメージキャプチャー装置１７は、食品パッケージに印刷されたイメージを撮影するためのカメラであり、メモリ部２４は、各食品のイメージデータ及び該当の食品に対する調理情報を保存する。また、制御部２２は、撮影された食品のイメージとメモリ部２４に保存されたイメージとを比較し、その比較結果によって食品のＩＤを識別し、この識別された食品のＩＤに該当する自動調理情報を獲得した後、使用者の好みまたは食品の量に合わせて変更された調理情報によって調理動作を制御する。
【００５４】
以下、上記のように構成された調理装置を用いた制御方法を説明する。
【００５５】
図４は、本発明による調理装置を用いて調理情報を変更するための制御方法を示したフローチャートである。
【００５６】
まず、制御部２２は、入力部２０に設けられたバーコードリードボタンを通してバーコードリード信号が入力されかどうかを判断し(Ｓ１００)、バーコードリード信号が入力されてない場合、バーコードの接近可否を自動で感知する(Ｓ１１０)。バーコードの接近可否は、別途のバーコード位置センサや制御部２２を通して感知し、バーコードリーダ１６は、バーコードの接近によって自動で作動してバーコードをスキャンする。
【００５７】
このように、バーコードリードボタンを手動で押すことでバーコードリード信号が入力されるか、バーコードの接近を自動で感知した場合、制御部２２は、バーコードリーダ１６に制御信号を伝送してバーコードをスキャンする準備をし、このバーコードスキャン準備状態で、使用者が食品パッケージに付着されたバーコードをバーコードリーダ１６に接近させると、バーコードリーダ１６は、バーコードをスキャンして調理情報を読み込む(Ｓ１２０)。
【００５８】
このとき、調理装置がバーコードから獲得された調理情報によって調理するか、使用者の好みまたは食品の量に合わせて変更された調理情報によって調理するかを決定するために、制御部２２は、入力部２０に設けられた調理情報変更ボタンを通して調理情報変更信号が入力されたかどうかを判断する(Ｓ１３０)。
【００５９】
調理情報変更ボタンが入力された場合、表示部１８は、制御部２２の制御下でバーコードから獲得された調理情報を表示する(Ｓ１４０)。
【００６０】
このとき、表示部１８を通して表示される調理情報は、直ぐ以前にバーコードリーダ１６を通して獲得された調理情報であり、使用者が開始ボタンを押してない状態で調理情報変更ボタンを押すことで、所望の調理項目を選択できるように構成する。
【００６１】
このように、使用者は、前記表示部１８を通して表示される調理情報の全項目(調理時間、調理温度、出力レベルなど)のうち、所望の一部項目を選択して調理項目を変更できるようになる(Ｓ１５０)。
【００６２】
インスタントご飯を例えると、使用者がよく炊かれた状態を望むときは、バーコードを通して獲得された調理情報が調理時間５分、出力レベル８０％であると、使用者は、調理時間６分、出力レベル８５％にそれぞれ変更する。
【００６３】
その後、制御部２２は、開始ボタンを通して調理開始信号が入力されたかどうかを判断し(Ｓ１６０)、調理開始ボタンが入力されると、変更された調理情報によってマグネトロンの駆動を制御することで、使用者の好みに合わせて調理が行われるようになる。
【００６４】
図４に示すように、本発明の調理装置は、本体１０に設けられた入力部２０を通して使用者の好みに合わせて調理情報を変更することができ、この変更された調理情報を別途のバーコード出力機３０を通してバーコード形態で出力することもできる。
【００６５】
一方、本発明の調理装置は、バーコードから調理情報を獲得できないとき、図３に示すように、イメージキャプチャー装置１７を用いて食品パッケージに印刷されたイメージを直接撮影した後、この撮影されたイメージとメモリ部２４に保存されたイメージとを比較して結果的な調理情報を獲得し、この獲得された調理情報を使用者の好みに合わせた調理情報に変更することができ、この変更された調理情報をバーコード出力機３０を通してバーコード形態で出力することもできる。
【００６６】
この他にも、本発明の調理装置は、使用者が変更した調理情報を外部の端末機を通して獲得することができ、外部の端末機を通して調理情報を獲得する方法によって、有／無線通信を通して調理情報を直接獲得するか、変更された調理情報によって生成されたバーコードを通して調理情報を獲得することができる。
【００６７】
また、外部の端末装置がバーコードリーダ、ウェブサイト、画像イメージなどを通して調理情報を獲得して伝送すると、本発明の調理装置は、伝送された調理情報を変更することができる。また、外部の端末装置がバーコードリーダ、ウェブサイト、画像イメージなどを通して調理情報を獲得して調理情報を変更し、この変更された調理情報を調理装置に伝送すると、本発明の調理装置は、伝送された調理情報を獲得することができる。
以下、有／無線通信を通して調理情報を受ける方法を説明する。
【００６８】
図５は、外部の端末装置を用いて、変更された調理情報を調理装置に伝送するシステムの構造を示した図で、図５に示すように、本発明による調理システムは、調理装置１００ａ、端末装置２００ａ，２１０ａ，２２０ａ及びウェブサーバー３００ａを含んでいる。
【００６９】
本発明の調理システムが端末装置２００ａ，２１０ａ，２２０ａを通してウェブサイトに接続する場合、ウェブサーバー３００ａを通して調理情報の変更に対する全ての作業が行われる。また、本発明の調理システムは、バーコードタイプの調理情報を直接修正・変更できるクライアントプログラムを内蔵した端末装置２００ａ，２１０ａ，２２０ａを含むこともできる。
【００７０】
前記調理装置１００ａは、図１及び図２に示した調理装置の構成を含んでおり、有／無線通信を通して端末装置２００ａ，２１０ａ，２２０ａから調理情報を受ける通信部２８を備えている。
【００７１】
前記端末装置２００ａ，２１０ａ，２２０ａは、ウェブサーバー３００ａのウェブサイトに接続可能な外部の端末機器であり、ＰＣ、冷蔵庫のウェブパッド、ＰＤＡ、無線電話機またはウェブサイトに接続可能なその他の装置を含んでいる。
【００７２】
また、前記端末装置２００ａ，２１０ａ，２２０ａにバーコードタイプの調理情報を直ちに修正できるクライアントプログラムを内蔵する場合、使用者の好みに合わせて調理情報の調理項目(調理時間、調理温度、電力レベル及びその他の情報)を変更すると、前記端末装置２００ａ，２１０ａ，２２０ａは、変更された調理情報の調理項目によって調理情報を修正し、この修正された調理情報を有線または無線通信モジュールを通して調理装置１００ａに伝送することもできる。
【００７３】
他の変形例として、調理情報をウェブサーバー３００ａで変更することもできる。すなわち、前記ウェブサーバー３００ａは、全ての食品に対する調理情報(調理時間、調理温度、電力レベル及びその他の情報)を調理装置１００ａ、食品製造社のウェブサイトおよび調理関連ウェブサイトなどの多様なソースを通して提供するもので、端末装置２００ａ，２１０ａ，２２０ａを用いて使用者の好みに合わせて調理情報の調理項目(調理時間、調理温度、電力レベル及びその他の情報)を変更すると、調理情報がウェブサーバー３００ａで変更される。したがって、ウェブサーバー３００ａは、変更された調理情報を端末装置２００ａ，２１０ａ，２２０ａに伝送し、端末装置２００ａ，２１０ａ，２２０ａは、変更された調理情報を調理装置１００ａに伝送する。
【００７４】
図６は、図５の制御方法を示したフローチャートである。
【００７５】
図６に示すように、まず、使用者は、端末装置２００ａ，２１０ａ，２２０ａを通してウェブサーバー３００ａのウェブサイトに接続する(Ｓ２００)。
【００７６】
その後、使用者が端末装置２００ａ，２１０ａ，２２０ａを用いて、図５の１１に示すように、使用者の好みに合った調理情報の調理項目を選択して変更すると、変更された調理情報の調理項目がウェブサーバー３００ａに伝送される(Ｓ２１０)。
【００７７】
したがって、ウェブサーバー３００ａは、端末装置２００ａ，２１０ａ，２２０ａを用いて変更された調理情報の調理項目を分析し、使用者の望む調理情報を変更した後、図５の１２に示すように、変更された調理情報を端末装置２００ａ，２１０ａ，２２０ａに伝送する(Ｓ２２０)。前記端末装置２００ａ，２１０ａ，２２０ａは、変更された調理情報を受けて、図５の１３に示すように、変更された調理情報を調理装置１００ａに伝送する(Ｓ２３０)。
【００７８】
これによって、調理装置１００ａは、端末装置２００ａ，２１０ａ，２２０ａから伝送された調理情報を通信部２８を通して受け、マグネトロンの駆動によって調理を行う(Ｓ２４０)。
【００７９】
また、前記端末装置２００ａ，２１０ａ，２２０ａにバーコードタイプの調理情報を直ちに修正できるクライアントプログラムを内蔵する場合、使用者が好みに合わせて調理情報の調理項目(調理時間、調理温度、電力レベル及びその他の情報)を変更すると、前記端末装置２００ａ，２１０ａ，２２０ａは、変更された調理情報の調理項目によって調理情報を修正し、この修正された調理情報を調理装置１００ａに伝送することもできる。
【００８０】
以下、使用者が変更した調理情報の調理項目によってバーコードを生成してプリント出力する方法を説明する。
【００８１】
図７は、外部の端末装置を用いて、変更された調理情報のバーコードを生成するシステムの構造を示した図で、図示したように、調理システムは、調理装置１００ｂ、端末装置２００ｂ，２１０ｂ，２２０ｂ、ウェブサーバー３００ｂ及び出力装置４００を含んでいる。
【００８２】
本発明の調理システムが端末装置２００ｂ，２１０ｂ，２２０ｂを通してウェブサイトに接続する場合、調理情報の変更に対する全ての動作がウェブサーバー３００ｂで行われる。また、本発明の調理システムは、バーコードタイプの調理情報を直ちに修正できるクライアントプログラムを内蔵した端末装置２００ｂ，２１０ｂ，２２０ｂを含むこともできる。
【００８３】
本発明の実施形態による調理装置１００ｂは、図１及び図２に示した調理装置の構成を含んでおり、外部の端末装置２００ｂ，２１０ｂ，２２０ｂが調理情報をバーコード形態で伝送する場合、調理装置１００ｂは、調理装置１００ｂのバーコートリーダー１６を通して調理情報を獲得するので、通信部２８を含む必要はない。
【００８４】
前記端末装置２００ｂ，２１０ｂ，２２０ｂは、ウェブサーバー３００ｂのウェブサイトに接続可能な外部の端末機器であり、ＰＣ、冷蔵庫のウェブパッド、ＰＤＡ、無線電話機またはウェブサイトに接続可能なその他の装置を含んでいる。
【００８５】
また、前記外部端末装置２００ｂ，２１０ｂ，２２０ｂにバーコードタイプの調理情報を直接修正できるクライアントプログラムを内蔵する場合、使用者の好みに合わせて調理情報の調理項目(調理時間、調理温度、電力レベル及びその他の情報)を変更すると、前記外部の端末装置２００ｂ，２１０ｂ，２２０ｂは、変更された調理情報の調理項目によって調理情報を修正し、修正された調理情報をバーコードタイプの調理情報に変換する。よって、 前記外部の端末装置２００ｂ，２１０ｂ，２２０ｂは、バーコードタイプの変換された調理情報を出力装置４００に伝送し、出力装置４００は、バーコードタイプの調理情報を出力する。
【００８６】
前述した例と同様に、ウェブサーバー３００ｂで調理情報を変更することもできる。すなわち、前記ウェブサーバー３００ｂは、全ての食品に対する調理情報(調理時間、調理温度、電力レベル及びその他の情報)を調理装置１００ｂ、食品製造社のウェブサイトまたは調理関連ウェブサイトなどの多様なソースを通して提供する。前記端末装置(２００ｂ，２１０ｂ，２２０ｂを用いて使用者の好みに合わせて調理情報の調理項目(調理時間、調理温度、電力レベル及びその他の情報)を変更すると、調理情報がウェブサーバー３００ｂで変更される。したがって、ウェブサーバー３００ｂは、変更された調理情報の調理項目によって調理情報を修正し、この修正された調理情報をバーコードタイプの調理情報に変換する。そして、ウェブサーバー３００ｂは、バーコードタイプの変換された調理情報を端末装置２００ｂ，２１０ｂ，２２０ｂに伝送し、端末装置２００ｂ，２１０ｂ，２２０ｂは、バーコードタイプの変換された調理情報を出力装置４００に伝送し、その結果、出力装置４００は、バーコードタイプの調理情報を出力する。
【００８７】
ここで、前記出力装置４００は、外部の端末装置２００ｂ，２１０ｂ，２２０ｂから伝送されたバーコードを出力するプリンタなどの印刷装置である。
【００８８】
図８は、図７の制御方法を示したフローチャートである。
【００８９】
図８に示すように、まず、使用者は、端末装置２００ｂ，２１０ｂ，２２０ｂを通してウェブサーバー３００ｂのウェブサイトに接続する(Ｓ３００)。
【００９０】
その後、使用者は、端末装置２００ｂ，２１０ｂ，２２０ｂを用いて、図７の１に示すように、使用者の好みに合わせて調理情報の調理項目を選択して変更し、変更された調理情報の調理項目をウェブサーバー３００ｂに伝送する(Ｓ３１０)。
【００９１】
したがって、ウェブサーバー３００ｂは、端末装置２００ｂ，２１０ｂ，２２０ｂを用いて使用者によって変更された調理情報の調理項目を分析し、バーコードタイプの調理情報を生成した後、図７の２に示すように、バーコードタイプの新しい調理情報を端末装置２００ｂ，２１０ｂ，２２０ｂに伝送する(Ｓ３２０〜Ｓ３３０)。
【００９２】
前記端末装置２００ｂ，２１０ｂ，２２０ｂは、バーコードタイプの新しい調理情報を受けて、図７の３に示すように、バーコードタイプの新しい調理情報を出力装置４００に伝送し、その結果、出力装置４００は、バーコードタイプの調理情報を印刷する(Ｓ３４０)。
【００９３】
また、調理装置１００ｂは、出力装置４００から印刷されたバーコードをバーコードリーダ１６を通してスキャンしてバーコードを解読した後、解読されたバーコードによってバーコードタイプの調理情報を獲得する(Ｓ３５０)。
【００９４】
一方、無線電話機やポータブルウェブパッドの場合、それらの表示装置にバーコードを出力し、調理装置１００ｂのバーコードリーダ１６は、表示されたバーコードをスキャンしてバーコードを解読した後、解読されたバーコードによってバーコードタイプの調理情報を獲得することもできる。
【００９５】
その後、調理装置１００ｂは、獲得された調理情報によってマグネトロンなどを駆動させて調理を行う(Ｓ３６０)。
【００９６】
一方、本発明の調理システムがバーコードから調理情報を獲得できないとき、調理システムは、イメージキャプチャー装置１７を用いて食品パッケージに印刷されたイメージを直接撮影した後、この撮影された食品イメージとメモリ部２４に保存されたイメージとを比較して調理情報を獲得し、この獲得された調理情報を使用者の好みに合った調理情報に直ちに変更することができ、変更された調理情報をバーコードタイプの調理情報に変換し、バーコードタイプの調理情報をバーコード出力機３０を通して出力することもできる。
【００９７】
一方、本発明の一実施形態では、使用者の好みまたは食品の量に合わせて調理情報を変更する場合、調理装置１００ａ，１００ｂに設けられた入力部２０を通して調理情報を変更するか、または、外部の端末装置２００ａ，２１０ａ，２２０ａ，２００ｂ，２１０ｂ，２２０ｂを用いて調理情報を変更しているが、本発明は、これに限定されるものではなく、調理装置１００ａ，１００ｂをウェブサーバー３００ａ，３００ｂに直接連結して調理情報を変更することもできる。
【００９８】
以上の説明は、本発明による調理装置、調理システム及びその制御方法を実施するための一つの実施形態に過ぎないもので、本発明は、上述した実施形態に限定されることなく、本発明の技術的思想内で当分野で通常の知識を有する者によって多様に変形可能である。
【図面の簡単な説明】
【００９９】
【図１】本発明による調理装置の外観を示した図である。
【図２】本発明の第１実施形態による調理装置の構造を示したブロック図である。
【図３】本発明の第２実施形態による調理装置の構造を示したブロック図である。
【図４】本発明による調理装置を用いて調理情報を変更するための制御方法を示したフローチャートである。
【図５】外部端末装置を用いて、変更された調理情報を調理装置に伝送するシステムの構造を示した図である。
【図６】図５の制御方法を示したフローチャートである。
【図７】外部端末装置を用いて、変更された調理情報のバーコードを生成するシステムの構造を示した図である。
【図８】図７の制御方法を示したフローチャートである。
【符号の説明】
【０１００】
１６  バーコードリーダ
１７  イメージキャプチャー装置
１８  表示部
２０  入力部
２２  制御部
２４  メモリ部
２６  駆動部
２８  通信部
３０  バーコード出力機
【図１】
2007024487.tif 000003
【図２】
2007024487.tif 000004
【図３】
2007024487.tif 000005
【図４】
2007024487.tif 000006
【図５】
2007024487.tif 000007
【図６】
2007024487.tif 000008
【図７】
2007024487.tif 000009
【図８】
2007024487.tif 000010